(57)【要約】【課題】外部配線にかかわらず安定した防水性能を確保することができるとともに防水ケースの内部で電気配線および電気特性の点検を行うことができる防水器具を提供する。【解決手段】防水ケース１は点検口７を有するとともに防水処理された電線引き出し口９を有する。透光カバー８は点検口７を着脱自在に密閉する。電線１２は電線引き出し口９より外部に引き出されて外部配線１４と防水結線される。点検用端子６は防水ケース１内で電線１２に接続されて点検口７より点検可能である。電線１２は絶縁被覆を有し、防水ケース１内で電線１２の心線が露出した絶縁被覆の端部に防水性絶縁材を含浸している。【選択図】        図１
2006265891.tif 000002
【特許請求の範囲】
【請求項１】
点検口を有するとともに防水処理された電線引き出し口を有する防水ケースと、前記点検口を着脱自在に密閉するカバーと、前記電線引き出し口より外部に引き出されて外部配線と防水結線される電線と、前記防水ケース内で前記電線に接続されて前記点検口より点検可能な点検用端子とを備えた防水器具。
【請求項２】
前記電線は絶縁被覆を有し、前記防水ケース内で前記電線の心線が露出した前記絶縁被覆の端部に防水性絶縁材を含浸した請求項１記載の防水器具。
【発明の詳細な説明】
【技術分野】
【０００１】
この発明は、器具配線点検用端子を有する防水器具に関するものである。
【背景技術】
【０００２】
施工時に外部配線との結線部が器具と一体で埋設される防水器具において、施工後に配線の電気特性を確認する際、防水器具の取り出しなどの作業をすることなく、点検が可能な防水器具がある。
【０００３】
従来例は、図７に示すように、地中５０に埋設された防水ケース５１の外殻に設けられた引き込み口５２より外部配線５３を引き込み、防水ケース５１の内部の結線部５４で結線し、射光穴を兼ねた点検口５５よりケース内部で電気配線および電気特性の点検を行うものであった。５６は結線部５４に接続されたランプソケット、５７はランプ、５８は着脱自在な反射板、５９は点検口５５を着脱自在に密閉する透光カバーである。
【０００４】
また別の従来例（例えば特許文献１参照）は、路面等に敷設されるＬＥＤ埋設コンクリートブロックに内蔵されたり、ＬＥＤ埋設コンクリートブロックとともに埋設される結線ボックスが開示されている。
【特許文献１】特開平６−１０８４２６号
【発明の開示】
【発明が解決しようとする課題】
【０００５】
しかしながら、外部配線５３を防水ケース等に引き込むため、現場で用意された外部配線５３の種類やサイズおよび施工品質レベルにより、引き込み口における防水性能が保たれないことがあり、防水ケースが浸水し不具合を引き起す可能性があった。また上記別の従来例では結線ボックスが地中に埋設されているため、結線部分での電気特性の確認が困難である。
【０００６】
したがって、この発明の目的は、外部配線にかかわらず安定した防水性能を確保することができるとともに防水ケースの内部で電気配線および電気特性の点検を行うことができる防水器具を提供することである。
【課題を解決するための手段】
【０００７】
この発明の防水器具は、防水ケースが点検口を有するとともに防水処理された電線引き出し口を有する。カバーは前記点検口を着脱自在に密閉する。電線は前記電線引き出し口より外部に引き出されて外部配線と防水結線される。点検用端子は前記防水ケース内で前記電線に接続されて前記点検口より点検可能である。
【０００８】
上記構成において、前記電線は絶縁被覆を有し、前記防水ケース内で前記電線の心線が露出した前記絶縁被覆の端部に防水性絶縁材を含浸している。
【発明の効果】
【０００９】
この発明の防水器具によれば、防水ケースの電線引き出し口は特定の電線のみが引き出され、その外部で外部配線と接続するため、電線引き出し口での防水性能を安定して保つことができ、外部配線の種類やサイズおよび施工品質レベル等の影響を受けない。しかも施工後に防水ケースの内部で防水ケースを取り出すことなく配線の電気特性を確認する作業が行える。
【００１０】
電線の絶縁被覆の内端部を防水性絶縁材料で含浸することにより心線の内部を伝って防水ケース内が浸水することを防止することができる。
【発明を実施するための最良の形態】
【００１１】
この発明の一実施の形態を図１から図６により説明する。この防水器具は、地中に埋設する地中埋設器具であり、防水ケース１内にはソケット台１３に取付けられたランプソケット２および反射板４を配置し、ランプソケット２にランプ３を装着し、またランプソケット２の接続線２ａが接続された点検用端子６を防水ケース１内に配置している。
【００１２】
防水ケース１の上面の地面５に露出する部分は射光穴を兼ねた点検口７を設け、点検口７を透光カバー８で着脱自在に密閉している。防水ケース１の外殻の側部には防水パッキン２２により防水処理された電線引き出し口９を設け、この電線引き出し口９を覆うように外殻の外側に補助ケース１０を設け、補助ケース１０に外部配線引き込み口１１を設けている。補助ケース１０は防水ケース１とともに地中に埋設される。外部配線引き込み口１１には外部配線１４を通す電線管１６の端部が接続され、外部配線１４が補助ケース１０の内部に通される。
【００１３】
防水処理された電線引き出し口９には電線１２が挿通される。電線１２は絶縁被覆１２ａを有し、外端部が補助ケース１０内で外部配線１４と防水結線部１５で防水結線される。このため、補助ケース１０は防水構造としてもしなくてもよい。防水ケース１内の電線１２の心線１２ｂが露出した絶縁被覆１２ａの端部に防水性絶縁材を含浸し、この含浸部１２ｃにより、結露等によって心線１２ｂを伝って外部から浸水するのを防止することができる。外部配線１４と電線１２の各３本のうち１本はアース線であり、点検用端子５とランプソケット２間では１本の接続線２ｂがソケット台１３と接続されている。
【００１４】
点検用端子６は充電部が露出しており、端子台１８に取付けられている。この場合、点検用端子６を絶縁カバーで覆って充電部を露出可能にしてもよい。
【００１５】
図４から図６は防水器具の詳細図であり、ランプソケット２を支持するソケット台１３および反射板４はフレーム２０に取付けられて、透部カバー８を開いた点検口７から反射板４等の付いたフレーム２０を取り出すことができ、これにより点検口７から点検用端子６を用いて電気特性の確認を容易に行うことができる。また補助ケース１０は外部配線引き込み口を両側に形成し、これらに外部配線１４の電線管１６を接続し、外部配線１４の一方を電源入力側とし、他方を電源送り側としている。
【００１６】
この実施の形態によれば、防水ケース１の埋設後は防水接続部１５が地中に埋設されているため、この部位での電気特性確認作業は困難であるが、防水ケース１内に点検用端子６を設けているため、施工後や運用中において透光カバー８を開き電気特性を容易に確認することができる。また防水ケース１内に外部配線１４が引き込まれていないため防水性の高い器具構造が実現される。
【００１７】
さらに、点検用端子６の電線接続を着脱可能にすると、万一施工時に電線１２と外部配線１４と防水結線において、誤結線が生じても施工後に点検用端子６で電線１２を振り替え接続することができるため、容易に正常な配線に修正することができる。
【図面の簡単な説明】
【００１８】
【図１】この発明の一実施の形態の要部説明図である。
【図２】電線の引き出し部分の説明図である。
【図３】全体の概略断面図である。
【図４】防水器具の断面図である。
【図５】その半断面図である。
【図６】外観斜視図である。
【図７】従来例の半断面側面図である。
【符号の説明】
【００１９】
１    防水ケース
２    ランプソケット
３    ランプ
４    反射板
５    地面
６    点検用端子
７    点検口
８    透光カバー
９    電線引き出し口
１２    電線
１４    外部配線
１５    防水結線部
【図１】
2006265891.tif 000003
【図２】
2006265891.tif 000004
【図３】
2006265891.tif 000005
【図４】
2006265891.tif 000006
【図５】
2006265891.tif 000007
【図６】
2006265891.tif 000008
【図７】
2006265891.tif 000009